(57)【要約】      （修正有）【課題】既設ドレンの排水管に複数の屈曲部がある場合にそれらの屈曲部に筒部を容易に通し得る改修ドレンを提供する。【解決手段】排水孔を有するツバ部２と、基端部３ａをツバ部２に接続されて排水孔に連通された屈曲可能な筒部３とを具え、既設ドレンの改修に用いられる改修ドレン１において、筒部３の先端部３ｂがその先端部３ｂの中心軸線と直交する平面上に位置する先端縁３ｃを有し、その先端縁３ｃから先端部３ｂに先端縁３ｂの周方向に互いに離間した複数の切込み４が形成されていることを特徴とするものである。【選択図】図１
0003192988.tif 000002
【実用新案登録請求の範囲】
【請求項１】
排水孔を有するツバ部と、
基端部を前記ツバ部に接続されて前記排水孔に連通された屈曲可能な筒部と、
を具え、既設ドレンの改修に用いられる改修ドレンにおいて、
前記筒部の先端部がその先端部の中心軸線と直交する平面上に位置する先端縁を有し、
その先端縁から前記先端部に前記先端縁の周方向に互いに離間した複数の切込みが形成されていることを特徴とする改修ドレン。
【請求項２】
前記複数の切込みの各々の形状はＵ字状もしくはＶ字状であることを特徴とする請求項１記載の改修ドレン。
【請求項３】
前記複数の切込みの数は２つ以上であって４つ以下であり、
前記複数の切込みは前記先端縁の周方向に互いに等間隔に離間していることを特徴とする請求項１または２記載の改修ドレン。
【考案の詳細な説明】
【技術分野】
【０００１】
本考案は、雨水等を排出するためにバルコニーやベランダ等に設けられている既設ドレンの改修に用いられる改修ドレンに関し、特には既設ドレンの排水管に曲がる方向が互いに異なる複数の屈曲部がある場合に用いて好適な改修ドレンに関するものである。
【背景技術】
【０００２】
雨水等の排水対策としてバルコニーやベランダ等に設けられているドレンは、バルコニーやベランダ等の床面や内壁面に一端部が開口する排水管を具え、その排水管の他端部は雨樋や排水路等に接続され、あるいはそれらに向けて開口している。
【０００３】
このような既設のドレンに防水改修を施工する際には通常、排水孔を有するツバ部と、基端部を前記ツバ部に接続されて前記排水孔に連通された屈曲可能な筒部とを具える改修ドレンを用い、排水管の内径に近い外径のその筒部をバルコニーやベランダ等に位置する開口から排水管内に挿入し、その排水管の内壁に沿わせて延在させるとともに、そのツバ部を、排水管の開口を囲むバルコニーやベランダ等の床面や内壁面等の陸部に水密に密接させる。
【０００４】
ところで、既設ドレンには、バルコニーやベランダ等の内壁面に開口する一端部から排水管が横向きに延在した後に屈曲部であるエルボを介して下向きに延在する横引タイプのものがあり、このような屈曲部を有する排水管内に改修ドレンの筒部を挿入すると、その筒部の先端部の先端縁が当該先端部の中心軸線と直交する環状をなしていて当該先端部の剛性を高く維持していることから、その筒部の先端部がエルボの入口に当接した後、エルボに沿って変形せずにエルボの入口に留まり、筒部の更なる挿入を阻んでしまうという問題があった。
【０００５】
このため従来、横引タイプの既設ドレンに用いる改修ドレンの筒部の先端部の下向き部分を切除することで当該先端部の下方への変形に対する剛性を引き下げ、先端部がエルボの入口に当接するとエルボの屈曲先である下方へエルボに沿って変形するようにして、筒部の更なる挿入を可能にしたものが提案されている（特許文献１参照）。
【先行技術文献】
【特許文献】
【０００６】
【特許文献１】実用新案登録第３１８６５９５号公報
【考案の概要】
【考案が解決しようとする課題】
【０００７】
しかしながら、既設ドレンには、内壁面に開口する一端部から排水管が横向きに延在する横引タイプでも、横向きに延在した後に屈曲部であるエルボを介して別方向に横向きに任意の位置まで延在してから別のエルボを介して下向きに延在するといったものもあり、また、床面に開口する一端部から排水管が縦（上下）方向に延在する縦引きタイプでも、そのまま雨樋や排水路等に接続されるのでなく、一旦屈曲部であるエルボを介して横向きに任意の位置まで延在してから別のエルボを介して下向きに延在するといったものもあって、排水管に屈曲方向が互いに異なる複数の屈曲部がある場合がある。
【０００８】
このような場合に、上記従来の改修ドレンでは、筒部の先端部の下向き部分が切除されているだけなので、既設ドレンの排水管の一つ目の屈曲部が下向きに曲がっていないと、筒部の先端部がその屈曲部の内面に当接した後、変形できずに筒部の更なる挿入を阻んでしまうという問題があり、また例え既設ドレンの排水管の一つ目の屈曲部が下向きに曲がっていて筒部の先端部がその一つ目の屈曲部に沿って曲がれたとしても、一つ目と異なる方向に屈曲した二つ目以降の屈曲部で筒部の先端部が屈曲部の内面に当接した後、変形できずに筒部の更なる挿入を阻んでしまうという問題があった。
【課題を解決するための手段】
【０００９】
以上明らかにした従来の改修ドレンの問題点を有利に解決すべく、本考案者は鋭意検討を進め、本考案を想到するに至った。すなわち本考案の改修ドレンは、排水孔を有するツバ部と、基端部を前記ツバ部に接続されて前記排水孔に連通された屈曲可能な筒部とを具え、既設ドレンの改修に用いられる改修ドレンにおいて、前記筒部の先端部がその先端部の中心軸線と直交する平面上に位置する先端縁を有し、その先端縁から前記先端部に前記先端縁の周方向に互いに離間した複数の切込みが形成されていることを特徴とするものである。
【考案の効果】
【００１０】
本考案の改修ドレンによれば、筒部の先端部がその先端部の中心軸線と直交する平面上に位置する先端縁を有し、前記先端縁にその先端縁の周方向に互いに離間した複数の切込みが形成されていることから、既設ドレンの排水管の屈曲部が何れの方向に屈曲していてもその屈曲部に沿って先端部が曲がれるように先端縁が変形するので、既設ドレンの屈曲部が下向き以外であったり複数あったりしても、筒部をそれらの屈曲部で阻止されることなく排水管内に完全に挿入して、排水管の開口を囲むバルコニーやベランダ等の床面や内壁面等の陸部にツバ部を水密に密接させることができる。
【００１１】
なお、本考案においては、前記複数の切込みの各々の形状はＵ字状もしくはＶ字状であると、加工が容易でありかつ、先端縁の剛性を充分に引き下げ得るので好ましい。
【００１２】
また、本考案においては、前記複数の切込みの数は２つ以上であって４つ以下であり、かつ前記複数の切込みは前記先端縁の周方向に互いに等間隔に離間していると、先端縁の剛性が下がりすぎず、既設ドレンの屈曲部に沿って先端部が曲がれる程度に先端縁の剛性が維持されるので好ましい。
【図面の簡単な説明】
【００１３】
【図１】（ａ），（ｂ），（ｃ）および（ｄ）は、本考案の改修ドレンの一実施例としての、横引タイプ既設ドレン用横型改修ドレンを示す正面図、背面図、側面図および背面側斜め上方から見た斜視図である。
【図２】（ａ），（ｂ），（ｃ）および（ｄ）は、本考案の改修ドレンの他の一実施例としての、横引タイプ既設ドレン用横型改修ドレンを示す正面図、背面図、側面図および背面側斜め上方から見た斜視図である。
【図３】（ａ），（ｂ），（ｃ）および（ｄ）は、本考案の改修ドレンのさらに他の一実施例としての、横引タイプ既設ドレン用横型改修ドレンを示す正面図、背面図、側面図および背面側斜め上方から見た斜視図である。
【図４】（ａ），（ｂ），（ｃ）および（ｄ）は、本考案の改修ドレンのさらに他の一実施例としての、縦引タイプ既設ドレン用縦型改修ドレンを示す平面図、下面図、側面図および下面側斜め下方から見た斜視図である。
【図５】（ａ）および（ｂ）は、図３に示す上記実施例の横型改修ドレンを横引タイプ既設ドレンに装着する工程を順次に示す、上方から見た断面図および側方から見た断面図である。
【図６】（ａ）および（ｂ）は、図４に示す上記実施例の縦型改修ドレンを縦引タイプ既設ドレンに装着する工程を順次に示す、何れも側方から見た断面図である。
【考案を実施するための形態】
【００１４】
以下、本考案の実施の形態を実施例によって図面に基づき詳細に説明する。ここに、図１（ａ），（ｂ），（ｃ）および（ｄ）は、本考案の改修ドレンの一実施例としての、横引タイプ既設ドレン用横型改修ドレンを示す正面図、背面図、側面図および背面側斜め上方から見た斜視図である。
【００１５】
この実施例の横型改修ドレン１は、バルコニーやベランダ等の内壁面に開口する一端部から排水管が横向きに延在した後に屈曲部であるエルボを介して下向きに延在する横引タイプの既設ドレンの改修に用いられるもので、排水孔２ａを有するＬ字状断面の板状のツバ部２と、基端部３ａをツバ部２に接続されて排水孔２ａに連通された屈曲可能な筒部３とを具えている。
【００１６】
ここで、ツバ部２は、例えば一枚の矩形の鉛板を折曲して縦板部２ｂと横板部２ｃとを有するＬ字状に形成するとともに、その縦板部２ｂの下端部の背面側に筒状突部を張出成形し、その筒状突部により排水口２ａを形成する。また、筒部３は、例えば塩化ビニール製ホースからなるものとするとともにそのホースの周囲にスパイラル状の補強リブを一体に形成してホースの潰れを防止する。
【００１７】
そしてこの実施例では、筒部３の基端部３ａをツバ部２の背面側の上記筒状突部に嵌挿して接着することで、筒部３をツバ部２の排水孔２ａに連通させる。また、筒部３の先端部３ｂの先端縁３ｃを、先端部３ｂの中心軸線と直交する平面上に位置させ、その先端縁３ｃから先端部３ｂに、先端縁３ｃの周方向に互いに等間隔（先端部３ｂの中心軸線周りに１８０度間隔）に離間する２つの例えばＶ字状の切込み４を、例えば先端部３ｂの中心軸線に対し左右側方に配置して形成する。なお、切込み４は、このＶ字状に形成する代わりにＵ字状に形成してもよい。
【００１８】
各切込み４の、先端縁３ｃからの深さは、例えば筒部３の内径の０．４倍以上で１．２倍以下とすることが好ましい。先端縁３ｃからの深さが内径の１．２倍を越えると先端部３ｂの剛性が低すぎて先端部３ｂを屈曲部に沿わせて曲げることができず、先端縁３ｃからの深さが内径の０．４倍未満でも先端部３ｂの剛性が高すぎて先端部３ｂを屈曲部に沿わせて曲げることができないからである。
【００１９】
また、各切込み４の先端縁３ｃでの開口幅は、先端縁３ｃの周長の１／２４（端面視で１５度）以上で１／６（端面視で６０度）以下とすることが好ましい。先端縁３ｃでの開口幅が先端縁３ｃの周長の１／２４（端面視で１５度）未満では先端縁３ｃの剛性が高すぎて先端部３ｂを屈曲部に沿わせて曲げることができず、先端縁３ｃでの開口幅が先端縁３ｃの周長の１／６（端面視で６０度）を超えると先端縁３ｃの剛性が低すぎて先端部３ｂを屈曲部に沿わせて曲げることができないからである。
【００２０】
図２（ａ），（ｂ），（ｃ）および（ｄ）は、本考案の改修ドレンの他の一実施例としての、横引タイプ既設ドレン用横型改修ドレンを示す正面図、背面図、側面図および背面側斜め上方から見た斜視図である。この実施例の改修ドレン１は、先の実施例の改修ドレン１に対し切込み４の数と配置が異なるのみであるので、以下、その相違する部分について主に説明する。また、図中、先の実施例と同様の部分は、それと同一の符号にて示す。
【００２１】
すなわち、この実施例の改修ドレン１では、筒部３の先端部３ｂの先端縁３ｃを、先端部３ｂの中心軸線と直交する平面上に位置させ、その先端縁３ｃから先端部３ｂに、先端縁３ｃの周方向に互いに等間隔（先端部３ｂの中心軸線周りに１２０度間隔）に離間する３つの例えばＶ字状の切込み４を、例えば先端部３ｂの中心軸線に対し上方および左右斜め下方に配置して形成する。なお、切込み４は、このＶ字状に形成する代わりにＵ字状に形成してもよい。
【００２２】
各切込み４の深さは、先の実施例におけると同様とする。また、各切込み４の開口幅も、先の実施例におけると同様とする。
【００２３】
図３（ａ），（ｂ），（ｃ）および（ｄ）は、本考案の改修ドレンのさらに他の一実施例としての、横引タイプ既設ドレン用横型改修ドレンを示す正面図、背面図、側面図および背面側斜め上方から見た斜視図である。この実施例の改修ドレン１も、先の実施例の改修ドレン１に対し切込み４の数と配置が異なるのみであるので、以下、その相違する部分について主に説明する。また、図中、先の実施例と同様の部分は、それと同一の符号にて示す。
【００２４】
すなわち、この実施例の改修ドレン１では、筒部３の先端部３ｂの先端縁３ｃを、先端部３ｂの中心軸線と直交する平面上に位置させ、その先端縁３ｃから先端部３ｂに、先端縁３ｃの周方向に互いに等間隔（先端部３ｂの中心軸線周りに９０度間隔）に離間する４つの例えばＶ字状の切込み４を、例えば先端部３ｂの中心軸線に対し上下方および左右側方に配置して形成する。なお、切込み４は、このＶ字状に形成する代わりにＵ字状に形成してもよい。
【００２５】
各切込み４の深さは、先の実施例におけると同様とする。また、各切込み４の開口幅も、先の実施例におけると同様とする。
【００２６】
図４（ａ），（ｂ），（ｃ）および（ｄ）は、本考案の改修ドレンのさらに他の一実施例としての、縦引タイプ既設ドレン用縦型改修ドレンを示す平面図、下面図、側面図および下面側斜め下方から見た斜視図である。この実施例の改修ドレン１も、先の実施例の改修ドレン１に対し、ツバ部２の形状および切込み４の数と配置が異なるのみであるので、以下、その相違する部分について主に説明する。また、図中、先の実施例と同様の部分は、それと同一の符号にて示す。
【００２７】
すなわち、この実施例の改修ドレン１では、ツバ部２は、例えば一枚の円板状の鉛板から形成するとともに、その中央部の下面側に筒状突部を張出成形し、その筒状突部により排水口２ａを形成する。そしてその筒状突部に筒部３の基端部３ａを接続するとともに、筒部３の先端部３ｂの先端縁３ｃを、先端部３ｂの中心軸線と直交する平面上に位置させ、その先端縁３ｃから先端部３ｂに、先端縁３ｃの周方向に互いに等間隔（先端部３ｂの中心軸線周りに１８０度間隔）に離間する２つの例えばＶ字状の切込み４を形成する。なお、切込み４は、このＶ字状に形成する代わりにＵ字状に形成してもよい。
【００２８】
各切込み４の深さは、先の実施例におけると同様とする。また、各切込み４の開口幅も、先の実施例におけると同様とする。
【００２９】
図５（ａ）および（ｂ）は、図３に示す上記実施例の横型改修ドレンを横引タイプ既設ドレンに装着する工程を順次に示す、上方から見た断面図および側方から見た断面図である。ここにおける横引タイプ既設ドレンは、バルコニーやベランダ等の内壁面５と床面６とが交わる付近の内壁面５に開口する一端部から排水管７が、一本目の直管７ａにより壁部を貫通して横向き（水平）に延在した後に屈曲部である一つ目のエルボ７ｂを介して接続された二本目の直管７ａにより壁部に沿って横向き（水平）に延在し、その後、屈曲部である二つ目のエルボ７ｂを介して接続された三本目の直管７ａにより下向きに延在している。
【００３０】
このような屈曲方向が中心軸線周りに互いに９０度異なる二つのエルボ７ｂを排水管７が有する横引タイプ既設ドレンに防水改修を施工する際には、図３に示す実施例の横型の改修ドレン１を用いることが好ましく、この改修ドレン１にあっては、排水管７の内径に近い外径のその筒部３の先端部３ｂを内壁面５の開口から排水管７内に挿入して、図中矢印で示すように、筒部３をその排水管７の内壁に沿わせて押し込んでゆき、筒部３の先端部３ｂが、内壁面５の開口に繋がる排水管７の入口側から見て右方へ曲がった一つ目のエルボ７ｂに到達すると、ツバ部２から見て左側の先端縁３ｃの部分がエルボ７ｂの内面に当接して内側に押され、ツバ部２から見て左側の先端部３ｂの部分が左側および上下の切込み４により剛性を引き下げられ内側に容易に変形可能になって窄まりながら、先端部３ｂが右方へ折曲され、図５（ａ）に示すように、筒部３の先端部３ｂが一つ目のエルボ７ｂを通過する。
【００３１】
その後、筒部３の先端部３ｂがさらに進んで、下方へ曲がった二つ目のエルボ７ｂに到達すると、ツバ部２から見て上側の先端縁３ｃの部分がエルボ７ｂの内面に当接して内側に押され、ツバ部２から見て上側の先端部３ｂの部分が上側および左右の切込み４により剛性を引き下げられ内側に容易に変形可能になって窄まりながら、先端部３ｂが下方へ折曲され、筒部３の先端部３ｂが二つ目のエルボ７ｂも通過する。
【００３２】
このようにして、図５（ｂ）に示すように、筒部３をその基端部３ａまで排水管７内に挿通して排水管７内に延在させるとともに、ツバ部２の縦板部２ｂおよび横板部２ｃを、排水管７の開口を囲む内壁面５および床面６にそれぞれ接着剤等により水密に接着固定することで、屈曲方向が中心軸線周りに互いに９０度異なる二つのエルボ７ｂを排水管７が有する横引タイプ既設ドレンでも、エルボ７ｂに妨げられずに防水改修を施工することができ、エルボ７ｂは三つ以上あってもよい。
【００３３】
図６（ａ）および（ｂ）は、図４に示す上記実施例の縦型改修ドレンを縦引タイプ既設ドレンに装着する工程を順次に示す、何れも側方から見た断面図である。ここにおける縦引タイプ既設ドレンは、バルコニーやベランダ等の内壁面５と床面６とが交わる付近の床面６に開口する一端部から排水管７が、一本目の直管７ａにより床部を貫通して縦向き（鉛直）に延在した後に屈曲部である一つ目のエルボ７ｂを介して接続された二本目の直管７ａにより床部に沿って横向き（水平）に延在して壁部を貫通し、その後、屈曲部である二つ目のエルボ７ｂを介して接続された三本目の直管７ａにより下向きに延在している。
【００３４】
このような屈曲方向が中心軸線周りに互いに１８０度異なる二つのエルボ７ｂを排水管７が有する縦引タイプ既設ドレンに防水改修を施工する際には、図４に示す実施例の縦型の改修ドレン１を用いることが好ましく、この改修ドレン１にあっては、排水管７の内径に近い外径のその筒部３の先端部３ｂを床面６の開口から排水管７内に挿入して、図中矢印で示すように、筒部３をその排水管７の内壁に沿わせて押し込んでゆき、筒部３の先端部３ｂが、床面５の開口に繋がる排水管７の入口側から見て壁部方向へ曲がった一つ目のエルボ７ｂに到達すると、ツバ部２から見て壁部と反対の側の先端縁３ｃの部分がエルボ７ｂの内面に当接して内側に押され、ツバ部２から見て壁部と反対の側の先端部３ｂの部分が壁部と平行に位置する二つの切込み４により剛性を引き下げられ内側に容易に変形可能になって窄まりながら、先端部３ｂが壁部方向へ折曲され、図６（ａ）に示すように、筒部３の先端部３ｂが一つ目のエルボ７ｂを通過する。
【００３５】
その後、筒部３の先端部３ｂがさらに進んで、下方へ曲がった二つ目のエルボ７ｂに到達すると、ツバ部２から見て壁部側の先端縁３ｃの部分がエルボ７ｂの内面に当接して内側に押され、ツバ部２から見て壁部側の先端部３ｂの部分が壁部と平行に位置する二つの切込み４により剛性を引き下げられ内側に容易に変形可能になって窄まりながら、先端部３ｂが下方へ折曲され、筒部３の先端部３ｂが二つ目のエルボ７ｂも通過する。
【００３６】
このようにして、図６（ｂ）に示すように、筒部３をその基端部３ａまで排水管７内に挿通して排水管７内に延在させるとともに、ツバ部２を、排水管７の開口を囲む床面６に接着剤等により水密に接着固定することで、屈曲方向が中心軸線周りに互いに１８０度異なる二つのエルボ７ｂを排水管７が有する縦引タイプ既設ドレンでも、エルボ７ｂに妨げられずに防水改修を施工することができ、エルボ７ｂは三つ以上あってもよい。
【００３７】
なお、図１に示す、筒部３の先端部３ｂに２つの切込み４を形成した改修ドレン１は、例えば屈曲方向が互いに１８０度異なる二つ以上のエルボ７ｂを排水管７が有する横引タイプ既設ドレンの防水改修に用いることができ、また、図２に示す、筒部３の先端部３ｂに３つの切込み４を形成した改修ドレン１は、例えば屈曲方向が互いに６０度または１２０度異なる二つ以上のエルボ７ｂを排水管７が有する横引タイプ既設ドレンの防水改修に用いることができる。
【００３８】
以上、図示例に基づき説明したが、この考案の改修ドレンは上述の例に限定されるものでなく、例えば、図４に示す実施例と同様の縦型改修ドレンの筒部３の先端部３ｂにその先端縁３ｃから、図２，３に示すと同様に３つまたは４つの切込み４を形成するようにしてもよい。
【００３９】
さらに、図１〜３に示す実施例と同様の横型改修ドレンのツバ部２を円盤状としてその排水口２ａ付近でＬ字状に折曲するようにしてもよく、また、図４に示す実施例と同様の縦型改修ドレンのツバ部２を矩形の平板状としてもよい。
【００４０】
そして、この考案の改修ドレンのツバ部や筒部の材質は、上記実施例のものには限定されず、例えばツバ部は、銅、ウレタン、塩化ビニール、ＦＲＰ（繊維強化プラスチック）等で形成してもよい。また、筒部の先端部の切込みの数も、所要に応じて５つ以上とすることもできる。
【産業上の利用可能性】
【００４１】
かくして本考案の改修ドレンによれば、既設ドレンの排水管の屈曲部が何れの方向に屈曲していてもその屈曲部に沿って先端部が曲がれるように先端縁が変形するので、既設ドレンの屈曲部が下向き以外であったり複数あったりしても、筒部をそれらの屈曲部で阻止されることなく排水管内に完全に挿入して、排水管の開口を囲むバルコニーやベランダ等の床面や内壁面等の陸部にツバ部を水密に密接させることができる。
【符号の説明】
【００４２】
１  改修ドレン
２  ツバ部
２ａ  縦板部
２ｂ  横板部
３  筒部
３ａ  基端部
３ｂ  先端部
３ｃ  先端縁
４  切込み
５  内壁面
６  床面
７  排水管
７ａ  直管
７ｂ  エルボ
【図１】
0003192988.tif 000003
【図２】
0003192988.tif 000004
【図３】
0003192988.tif 000005
【図４】
0003192988.tif 000006
【図５】
0003192988.tif 000007
【図６】
0003192988.tif 000008